(57)【特許請求の範囲】
【請求項１】
所定の放送帯域中の少なくとも一部の帯域に割り当てられ、かつ第１のサービス放送番組の素材を示す第１のサービス素材情報を含んだ帯域が変動する第１のサービス放送信号と、前記放送帯域中の前記第１のサービス放送信号が割り当てられていない帯域に割り当てられ、かつそれぞれ優先順位が設定された複数の第２のサービス放送番組の素材を示す第２のサービス素材情報、前記第２のサービス放送番組に関する制御情報を含んだ周期情報を含む第２のサービス放送信号とを多重化して送出するマルチプレクサの前段に接続され、前記第２のサービス放送信号の送出処理を行う番組送出処理装置であって、
前記第２のサービス放送信号の帯域の一部を固定帯域に設定し、残りの帯域を前記第１のサービス放送信号の前記放送帯域中の占有率に応じた可変帯域に設定するとともに、少なくとも最高の優先順位に設定された第２のサービス素材情報及び周期情報を前記固定帯域に割り当て、前記マルチプレクサから通知される前記第１のサービス放送信号の前記放送帯域中の占有率に応じて、前記固定帯域に割り当てられた第２のサービス素材情報以外の複数の第２のサービス素材情報を優先順位に従って選択的に前記可変帯域に割り当てて、前記第２のサービス放送信号として送出する出力手段を備えることを特徴とする番組送出処理装置。
【請求項２】
所定の放送帯域中の少なくとも一部の帯域に割り当てられ、かつ第１のサービス放送番組の素材を示す第１のサービス素材情報を含んだ帯域が変動する第１のサービス放送信号と、前記放送帯域中の前記第１のサービス放送信号が割り当てられない帯域に割り当てられ、かつそれぞれ優先順位が設定された第２のサービス放送番組の素材を示す複数の第２のサービス素材情報、前記第２のサービス放送番組に関する制御情報を含んだ周期情報を含む第２のサービス放送信号とを多重化して送出するマルチプレクサの前段に接続され、前記第２のサービス放送信号の送出処理を行う番組送出処理装置であって、
前記第２のサービス放送信号の帯域の一部を固定帯域に設定し、残りの帯域を前記第１のサービス放送信号の前記放送帯域中の占有率に応じた可変帯域に設定するとともに、前記マルチプレクサから通知される前記第１のサービス放送信号の前記放送帯域中の占有率が所定のしきい値を超える場合に、少なくとも最高の優先順位に設定された第２のサービス素材情報及び前記周期情報を前記固定帯域に割り当てて、前記第２のサービス放送信号として送出する出力手段を備えることを特徴とする番組送出処理装置。
【請求項３】
前記出力手段は、
前記複数の第２のサービス素材情報、前記周期情報を各情報別に格納した複数の入力バッファと、
入力情報を格納し前記第２のサービス放送信号として出力する出力バッファと、
前記複数の入力バッファの中から少なくとも最高の優先順位に設定された第２のサービス素材情報及び周期情報を前記固定帯域に対応するレートで読み出して前記出力バッファに格納するとともに、前記マルチプレクサから通知される前記第１のサービス放送信号の前記放送帯域中の占有率に応じて、前記複数の入力バッファの中から前記固定帯域に割り当てられた第２のサービス素材情報以外の複数の第２のサービス素材情報を優先順位に従って選択的に読み出して前記出力バッファに格納する読出制御手段とを備えることを特徴とする請求項１または２記載の番組送出処理装置。
【請求項４】
所定の放送帯域中の少なくとも一部の帯域に割り当てられ、かつテレビジョン放送番組の素材を示すテレビジョン放送素材情報を含んだ帯域が変動するテレビジョン放送信号と、前記放送帯域中の前記テレビジョン放送信号の帯域とは異なる帯域に割り当てられ、かつそれぞれ優先順位が設定されたデータ放送番組の素材を示す複数のデータ放送素材情報、データ放送番組に関する制御情報を含んだ周期情報を含むデータ放送信号とを多重化して送出するマルチプレクサの前段に接続され、前記データ放送信号の送出処理を行う番組送出処理装置であって、
前記データ放送信号の帯域の一部を固定帯域に設定し、残りの帯域を前記テレビジョン放送信号の前記放送帯域中の占有率に応じた可変帯域に設定するとともに、少なくとも最高の優先順位に設定されたデータ放送素材情報及び周期情報を前記固定帯域に割り当て、前記マルチプレクサから通知される前記テレビジョン放送信号の前記放送帯域中の占有率に応じて、前記固定帯域に割り当てられたデータ放送素材情報以外の複数のデータ放送素材情報を優先順位に従って選択的に前記可変帯域に割り当てて、前記データ放送信号として送出するデータ放送信号出力手段を備えることを特徴とする番組送出処理装置。
【請求項５】
所定の放送帯域中の少なくとも一部の帯域に割り当てられ、かつテレビジョン放送番組の素材を示す素材情報を含んだ帯域が変動するテレビジョン放送信号と、前記放送帯域中の前記テレビジョン放送信号の帯域とは異なる帯域に割り当てられ、かつそれぞれ優先順位が設定されたデータ放送番組の素材を示す複数のデータ放送素材情報、データ放送番組に関する制御情報を含んだ周期情報を含むデータ放送信号とを多重化して送出するマルチプレクサの前段に接続され、前記データ放送信号の送出処理を行う番組送出処理装置であって、
前記データ放送信号の帯域の一部を固定帯域に設定し、残りの帯域を前記テレビジョン放送信号の前記放送帯域中の占有率に応じた可変帯域に設定するとともに、前記マルチプレクサから通知される前記テレビジョン放送信号の前記放送帯域中の占有率が所定のしきい値を超える場合に、少なくとも最高の優先順位に設定されたデータ放送素材情報及び前記周期情報を前記固定帯域に割り当てて、前記データ放送信号として送出するデータ放送信号出力手段を備えることを特徴とする番組送出処理装置。
【請求項６】
前記データ放送信号出力手段は、
前記複数のデータ放送素材情報、前記周期情報を各情報別に格納した複数の入力バッファと、
入力情報を格納し前記データ放送信号として出力する出力バッファと、
前記複数の入力バッファの中から少なくとも最高の優先順位に設定されたデータ放送素材情報及び周期情報を前記固定帯域に対応するレートで読み出して前記出力バッファに格納するとともに、前記マルチプレクサから通知される前記テレビジョン放送信号の前記放送帯域中の占有率に応じて、前記複数の入力バッファの中から前記固定帯域に割り当てられたデータ放送素材情報以外の複数のデータ放送素材情報を優先順位に従って選択的に読み出して前記出力バッファに格納する読出制御手段とを備えることを特徴とする請求項４または５記載の番組送出処理装置。
【請求項７】
所定の放送帯域中の少なくとも一部の帯域に割り当てられ、かつテレビジョン放送番組の素材を示すテレビジョン放送素材情報を含んだ帯域が変動するテレビジョン放送信号と、前記放送帯域中の前記テレビジョン放送信号が割り当てられていない帯域に割り当てられ、かつそれぞれ優先順位が設定されたデータ放送番組の素材を示す複数のデータ放送素材情報、データ放送番組に関する制御情報を含んだ周期情報、及びその他の付加情報を含んだイベントメッセージ情報を含むデータ放送信号とを多重化して送出するマルチプレクサの前段に接続され、前記データ放送信号の送出処理を行う番組送出処理装置であって、
前記データ放送信号の帯域の一部を固定帯域に設定し、残りの帯域を前記テレビジョン放送信号の前記放送帯域中の占有率に応じた可変帯域に設定するとともに、少なくとも最高の優先順位が設定されたデータ放送素材情報、周期情報及びイベントメッセージ情報を前記固定帯域に割り当て、前記マルチプレクサから通知される前記テレビジョン放送信号の前記放送帯域中の占有率に応じて、前記固定帯域に割り当てられたデータ放送素材情報以外の複数のデータ放送素材情報を優先順位に従って選択的に前記可変帯域に割り当てて、前記データ放送信号として送出するデータ放送信号出力手段を備えることを特徴とする番組送出処理装置。
【請求項８】
所定の放送帯域中の少なくとも一部の帯域に割り当てられ、かつテレビジョン放送番組の素材を示すテレビジョン放送素材情報を含んだ帯域が変動するテレビジョン放送信号と、前記放送帯域中の前記テレビジョン放送信号の帯域とは異なる帯域に割り当てられ、かつそれぞれ優先順位が設定されたデータ放送番組の素材を示す複数のデータ放送素材情報、データ放送番組に関する制御情報を含んだ周期情報、及びその他の付加情報を含んだイベントメッセージ情報を含むデータ放送信号とを多重化して送出するマルチプレクサの前段に接続され、前記データ放送信号の送出処理を行う番組送出処理装置であって、
前記データ放送信号の帯域の一部を固定帯域に設定し、残りの帯域を前記テレビジョン放送信号の前記放送帯域中の占有率に応じた可変帯域に設定するとともに、前記マルチプレクサから通知される前記テレビジョン放送信号の前記放送帯域中の占有率が所定のしきい値を超える場合に、少なくとも最高の優先順位が設定されたデータ放送素材情報、前記周期情報及び前記イベントメッセージ情報を前記固定帯域に割り当てて、前記データ放送信号として送出するデータ放送信号出力手段を備えることを特徴とする番組送出処理装置。
【請求項９】
前記データ放送信号出力手段は、
前記複数のデータ放送素材情報、前記周期情報及び前記イベントメッセージ情報を各情報別に格納した複数の入力バッファと、
入力情報を格納し前記データ放送信号として出力する出力バッファと、
前記複数の入力バッファの中から少なくとも最高の優先順位が設定されたデータ放送素材情報、周期情報及びイベントメッセージ情報を前記固定帯域に対応するレートで読み出して前記出力バッファに格納するとともに、前記マルチプレクサから通知される前記テレビジョン放送信号の前記放送帯域中の占有率に応じて、前記複数の入力バッファの中から前記固定帯域に割り当てられたデータ放送素材情報以外の複数のデータ放送素材情報を優先順位に従って選択的に読み出して前記出力バッファに格納する読出制御手段とを備えることを特徴とする請求項７または８記載の番組送出処理装置。
【発明の詳細な説明】
【０００１】
【発明の属する技術分野】
この発明は、衛星放送、地上波放送等のデジタル放送システムにおいて、データ放送を行うための番組送出処理装置に関する。
【０００２】
【従来の技術】
近年、デジタル放送技術の確立に伴い、通信衛星や放送衛星を使用する衛星放送システムではデジタル放送が開始され、さらに地上波放送システムにおいてもデジタル放送への移行が計画されている。
【０００３】
上記デジタル放送の放送局では、テレビジョン放送に加えて、文字放送等のデータ放送も行っている。データ放送では、各種の情報番組を放送しており、その中にはテレビジョン放送番組に連動した情報や、またテレビジョン放送番組とは独立した情報等を提供している。
【０００４】
【発明が解決しようとする課題】
ところで、上記放送局では、多重化出力レート、つまり放送波の帯域幅が予め固定されているため、データ放送により伝送すべきデータを多重化出力レートからテレビジョン放送番組の映像及び音声の伝送レートを差し引いたレートで出力しなければならない。しかし、映像及び音声の伝送レートは、番組や映像シーンに応じて変化し、場合によってはデータ放送に利用できる帯域が狭くなり、データ伝送に多くの時間を要することになる。このため、優先順位の高いデータ放送のデータをリアルタイムで伝送することができないという不具合が生じることになる。
【０００５】
また、テレビジョン放送の占有帯域幅が減少した場合には、未使用の帯域ができ、無駄が多くなる。
【０００６】
そこで、この発明の目的は、放送帯域の変動に影響されることなく、少なくとも優先順位の高いデータ放送のデータを効率良く伝送できるようにした番組送出処理装置を提供することにある。
【０００７】
【課題を解決するための手段】
この第１の発明に係る番組送出処理装置は、外部制御手段からの制御に基づいて、所定の放送帯域中の少なくとも一部の帯域に割り当てられ、かつテレビジョン放送番組の素材を示すテレビジョン放送素材情報を含んだテレビジョン放送信号と、放送帯域中のテレビジョン放送信号の帯域とは異なる帯域に割り当てられ、かつそれぞれ優先順位が設定されたデータ放送番組の素材を示す複数のデータ放送素材情報、データ放送番組に関する制御情報を含んだ周期情報を含むデータ放送信号とを放送するデジタル放送システムに用いられ、データ放送信号の送出処理を行う番組送出処理装置であって、
データ放送信号の帯域の一部を固定帯域に設定し、残りの帯域をテレビジョン放送信号の帯域占有率に応じた可変帯域に設定するとともに、少なくとも最高の優先順位が設定されたデータ放送素材情報及び周期情報を固定帯域に割り当て、外部制御手段からの通知情報に含まれるテレビジョン放送信号の帯域占有率に応じて、固定帯域に割り当てられたデータ放送素材情報以外の複数のデータ放送素材情報を優先順位に従って選択的に可変帯域に割り当てて、データ放送信号として送出するデータ放送信号出力手段を備えるようにしたものである。
【０００８】
この第１の発明によれば、例えばマルチプレクサ等の外部制御手段から通知されるテレビジョン放送信号の帯域占有率に応じてデータ放送信号の情報量を可変させることができるので、テレビジョン放送信号の帯域占有率が最小を示す場合に、ユーザがいつ受信を開始してもデータ放送番組を速やかに視聴できるように、伝送可能な帯域内で全ての番組を送信し、テレビジョン放送信号の帯域占有率が所定のしきい値を超える場合に、少なくとも最高の優先順位が設定されたデータ放送番組の素材情報及び周期情報を送信するというように、帯域変動に応じた最適なデータ伝送を行うことができる。
【０００９】
この第２の発明に係る番組送出処理装置は、外部制御手段からの制御に基づいて、所定の放送帯域中の少なくとも一部の帯域に割り当てられ、かつテレビジョン放送番組の素材を示すテレビジョン放送素材情報を含んだテレビジョン放送信号と、放送帯域中のテレビジョン放送信号の帯域とは異なる帯域に割り当てられ、かつそれぞれ優先順位が設定されたデータ放送番組の素材を示す複数のデータ放送素材情報、データ放送番組に関する制御情報を含んだ周期情報を含むデータ放送信号とを放送するデジタル放送システムに用いられ、データ放送信号の送出処理を行う番組送出処理装置であって、
データ放送信号の帯域の一部を固定帯域に設定し、残りの帯域をテレビジョン放送信号の帯域占有率に応じた可変帯域に設定するとともに、外部制御手段からの通知情報に含まれるテレビジョン放送信号の帯域占有率が所定のしきい値を超える場合に、少なくとも最高の優先順位が設定されたデータ放送素材情報及び周期情報を固定帯域に割り当てて、データ放送信号として送出するデータ放送信号出力手段を備えるようにしたものである。
【００１０】
この第２の発明によれば、テレビジョン放送信号の帯域占有率が所定のしきい値を超えるときに、データ放送により放送されるデータは少なくとも最高の優先順位が設定されたデータ放送番組のデータ放送素材情報及び周期情報のみとなる。このため、放送帯域中の限られたデータ放送用の帯域を有効に利用して、優先順位の高いデータ放送のデータを効率良く伝送することが可能となる。また、帯域変動に影響されることなく、常に最高の優先順位が設定されたデータ放送素材情報及び周期情報の伝送帯域を確保することができる。
【００１１】
また、第３の発明に係る番組送出処理装置は、外部制御手段からの制御に基づいて、所定の放送帯域中の少なくとも一部の帯域に割り当てられ、かつテレビジョン放送番組の素材を示すテレビジョン放送素材情報を含んだテレビジョン放送信号と、放送帯域中のテレビジョン放送信号の帯域とは異なる帯域に割り当てられ、かつそれぞれ優先順位が設定されたデータ放送番組の素材を示す複数のデータ放送素材情報、データ放送番組に関する制御情報を含んだ周期情報、及びその他の付加情報を含んだイベントメッセージ情報を含むデータ放送信号とを放送するデジタル放送システムに用いられ、データ放送信号の送出処理を行う番組送出処理装置であって、
データ放送信号の帯域の一部を固定帯域に設定し、残りの帯域をテレビジョン放送信号の帯域占有率に応じた可変帯域に設定するとともに、少なくとも最高の優先順位が設定されたデータ放送素材情報、周期情報及びイベントメッセージ情報を固定帯域に割り当て、外部制御手段からの通知情報に含まれるテレビジョン放送信号の帯域占有率に応じて、固定帯域に割り当てられたデータ放送素材情報以外の複数のデータ放送素材情報を優先順位に従って選択的に可変帯域に割り当てて、データ放送信号として送出するデータ放送信号出力手段を備えるようにしたものである。
【００１２】
したがってこの第３の発明においても、前記第１の発明と同様、外部制御手段から通知されるテレビジョン放送信号の帯域占有率に応じてデータ放送信号の情報量を可変させることができるので、テレビジョン放送信号の帯域占有率が最小を示す場合に、ユーザがいつ受信を開始してもデータ放送番組を速やかに視聴できるように、伝送可能な帯域内で全ての番組を送信し、テレビジョン放送信号の帯域占有率が所定のしきい値を超える場合に、少なくとも最高の優先順位が設定されたデータ放送番組の素材情報、周期情報及びイベントメッセージ情報のみ送信するというように、帯域変動に応じた最適なデータ伝送を行うことができる。
【００１３】
また、第４の発明に係る番組送出処理装置は、外部制御手段からの制御に基づいて、所定の放送帯域中の少なくとも一部の帯域に割り当てられ、かつテレビジョン放送番組の素材を示すテレビジョン放送素材情報を含んだテレビジョン放送信号と、放送帯域中のテレビジョン放送信号の帯域とは異なる帯域に割り当てられ、かつそれぞれ優先順位が設定されたデータ放送番組の素材を示す複数のデータ放送素材情報、データ放送番組に関する制御情報を含んだ周期情報、及びその他の付加情報を含んだイベントメッセージ情報を含むデータ放送信号とを放送するデジタル放送システムに用いられ、データ放送信号の送出処理を行う番組送出処理装置であって、
データ放送信号の帯域の一部を固定帯域に設定し、残りの帯域をテレビジョン放送信号の帯域占有率に応じた可変帯域に設定するとともに、外部制御手段からの通知情報に含まれるテレビジョン放送信号の帯域占有率が所定のしきい値を超える場合に、少なくとも最高の優先順位が設定されたデータ放送素材情報、周期情報及びイベントメッセージ情報を固定帯域に割り当てて、データ放送信号として送出するデータ放送信号出力手段を備えるようにしたものである。
【００１４】
したがってこの第４の発明においても、前記第２の発明と同様、テレビジョン放送信号の帯域占有率が所定のしきい値を超えるときに、データ放送により放送されるデータは少なくとも最高の優先順位が設定されたデータ放送素材情報、周期情報及びイベントメッセージ情報のみとなる。このため、放送帯域中の限られたデータ放送用の帯域を有効に利用して、優先順位の高いデータ放送のデータを効率良く伝送することが可能となる。
【００１５】
【発明の実施の形態】
以下、この発明の実施形態について図面を参照して詳細に説明する。
【００１６】
図１は、この発明に係る番組送出処理装置が適用される局内システムの一実施形態を示すブロック構成図である。
【００１７】
このシステムは、同図に示すように、エンコーダ（ＥＮＣ）１１，１２と、マルチプレクサ（ＭＵＸ）１３と、符号化多重制御部（ＥＭＣ）１４と、データ放送送出部１５と、自動番組送出制御部（ＡＰＣ）１６と、局内時計１７と、データサーバ（ＤＳ）１８とを備えている。
【００１８】
エンコーダ１１は、テレビジョン放送番組の映像信号をＭＰＥＧ２符号化方式で圧縮符号化して番組情報信号（ビットストリーム）を生成し、マルチプレクサ１３に出力する。エンコーダ１２は、テレビジョン放送番組の音声信号をＡＡＣ（Advanced Audio Coding）符号化方式で圧縮符号化してビットストリームを生成し、マルチプレクサ１３に出力する。
【００１９】
マルチプレクサ１３は、各エンコーダ１１，１２の出力と、データ放送送出部１５から出力されるデータ放送用データとを多重化し、トランスポートストリームとして送出する。また、符号化多重制御部１４から出力される情報を元に、ＰＭＴ（Program Map Table）、ＰＡＴ（Program Association Table）等のデータを生成し、トランスポートストリームに多重する。
【００２０】
符号化多重制御部１４は、自動番組送出制御部１６から提供される指示情報、放送スケジュールデータ及び局内時計１７で計測される編成時刻に基づいてエンコーダ１１，１２及びマルチプレクサ１３を制御する。なお、ＰＭＴ、ＰＡＴには、番組に関する情報やトランスポートストリーム中にデータ放送用データが含まれているか否かを示す情報が含まれている。
【００２１】
データ放送送出部１５は、データサーバ１８から提供される編成情報及び自動番組送出制御部１６から提供される指示情報に基づいて、入力されたデータ放送用データをマルチプレクサ１３に送出するものである。自動番組送出制御部１６は、データサーバ１８から提供される放送スケジュールデータ及び局内時計１７で計測される番組編成時刻に従って、符号化多重部１４及びデータ放送送出部１５に対し指示情報を送出して符号化多重部１４の符号化多重処理を制御し、またデータ放送送出部１５の送出処理を制御するようにしている。
【００２２】
図２は、上記データ放送送出部１５の具体的構成を示すブロック図である。
【００２３】
データ放送送出部１５は、ＤＩＩセクションバッファ１５１、イベントメッセージセクションバッファ１５２、データ放送サービスパケットバッファ１５３１〜１５３ｎ、多重処理部１５４、出力バッファ１５５、ＭＵＸ送出信号検出部１５６を備えている。
【００２４】
ＤＩＩセクションバッファ１５１は、外部から入力され、かつデータ放送番組に関する制御情報を含んだ周期情報としてのＤＩＩ（Download Information Indication）セクションパケット列を所定個数格納している。
【００２５】
イベントメッセージセクションバッファ１５２は、外部から入力され、かつデータ放送番組に関連もしくは独立した付加情報を含むイベントメッセージセクションパケット列を所定個数格納している。
【００２６】
データ放送サービスパケットバッファ１５３１〜１５３ｎは、外部から入力され、かつリアルタイム性が要求される第１のデータ放送番組の素材情報、この第１のデータ放送番組に比してリアルタイム性が要求されない第２のデータ放送番組の素材情報を含んだデータ放送サービスパケット列を所定個数それぞれ格納している。
【００２７】
多重処理部１５４は、データサーバ１８からの編成情報、自動番組送出制御部１７からの指示情報及びＭＵＸ送出信号検出部１５６による検出結果に基づいて、ＤＩＩセクションバッファ１５１、イベントメッセージセクションバッファ１５２、データ放送サービスパケットバッファ１５３１〜１５３ｎからパケットを取り込み、そのパケットの解析処理を行って、出力バッファ１５５に取り込んだ個数のパケット列を書き込む。
【００２８】
出力バッファ１５５は、多重処理部１５４からのパケット列を格納することでデータ放送信号を生成し、適宜マルチプレクサ１３に出力する。
【００２９】
ＭＵＸ送出信号検出部１５６は、マルチプレクサ１３から送られてくる通知情報から図３に示すようなテレビジョン放送信号の帯域占有率を検出し、この検出結果から帯域占有率が所定のしきい値を超えたことを判断した場合に、多重処理部１５４に対ししきい値を超えたことを通知する。
【００３０】
これに対し、多重処理部１５４は、ＭＵＸ送出信号検出部１５６からしきい値を超えたことを通知された場合に、予め設定された固定レートでＤＩＩセクションバッファ１５１及びイベントメッセージセクションバッファ１５２からそれぞれパケットを取り込んで、出力バッファ１５５に書き込むとともに、データサーバ１８から通知されるデータ放送番組の優先順位に基づいて、データ放送サービスパケットバッファ１５３１〜１５３ｎから最高の優先順位が設定されたデータ放送番組の素材情報を含んだパケットのみを取り込んで、出力バッファ１５５に書き込む。
【００３１】
次に、上記構成において、以下にその処理動作を説明する。
まず、データ放送の伝送帯域は、テレビジョン放送番組の映像／音声で使用する帯域のうちの残りの帯域を使用することが伝送の基本概念になっている。デジタル放送における映像／音声は、ＭＰＥＧ２で規定される圧縮符号化技術を採用していることから映像シーンによりテレビジョン放送用の帯域が変動することになる。
【００３２】
現在、データ放送用のデータは、予め映像／音声の最大符号量から余り帯域の目処をつけ固定ビットレートで伝送されているため、映像／音声の符号量が減少した時にも何も多重されていない帯域が発生し無駄である。
【００３３】
そこで、本実施形態では、データ放送送出部１５の多重処理部１５４にて、マルチプレクサ１３から通知されるテレビジョン放送信号の帯域占有率に応じて、ＤＩＩセクションバッファ１５１、イベントメッセージセクションバッファ１５２、データ放送サービスパケットバッファ１５３１〜１５３ｎからパケットを優先順位に従って選択的に取り込み、出力バッファ１５５に書き込んだ後に出力するようにしているので、従来生じていた空き帯域にデータ放送サービスパケットを送出できるようになり、受信機側において待ち時間の解消を図れる。
【００３４】
ここで、データ放送送出部１５では、自動番組送出制御部１６からの指示及びデータサーバ１８からの編成情報に応じて、多重処理部１５４がＤＩＩセクションバッファ１５１、イベントメッセージセクションバッファ１５２、データ放送サービスパケットバッファ１５３１〜１５３ｎからパケットを選択的に取り込む。同時に、多重処理部１５４は、予め設定された固定レートで、最高の優先順位が設定されたデータ放送サービスパケット、ＤＩＩセクションパケット及びイベントメッセージセクションパケットを出力バッファ１５５に書き込むとともに、テレビジョン放送信号の帯域占有率に応じた可変レートで次順位のデータ放送サービスパケットを出力バッファ１５５に書き込む。
【００３５】
すると、出力バッファ１５５は、図４（ａ）に示すようなパケット列のデータ放送信号をマルチプレクサ１３に送出する。なお、データ放送では、ユーザがいつ受信を開始しても速やかに視聴できるように全ての番組を一定の時間間隔で繰り返し送信している。
【００３６】
一方、多重処理部１５４は、ＭＵＸ送出信号検出部１５６にてテレビジョン放送信号の帯域占有率が所定しきい値を超えたと判断された場合に、ＤＩＩセクションバッファ１５１及びイベントメッセージセクションバッファ１５２からＤＩＩセクションパケット及びイベントメッセージセクションパケットを取り込んで、出力バッファ１５５に書き込むとともに、データ放送サービスパケットバッファ１５３１〜１５３ｎから最高の優先順位が設定されたデータ放送サービスパケットのみを取り込み、出力バッファ１５５に書き込む。
【００３７】
すると、出力バッファ１５５は、図４（ｂ）に示すようなパケット列のデータ放送信号をマルチプレクサ１３に送出する。
【００３８】
これにより、例えばクイズ問題やドラマの１場面等の映像シーンに付随した優先順位の高いデータ放送番組のデータを、テレビジョン放送番組の映像／音声の符号量が最大になっても伝送に影響を与えないように伝送することが可能となる。
【００３９】
以後、多重処理部１５４は、マルチプレクサ１３からの通知情報を監視し、テレビジョン放送信号の帯域占有率が所定しきい値以下となった時点で、データ放送サービスパケットバッファ１５３１〜１５３ｎから最高順位以外のデータ放送サービスパケットの読み出しを再開する。
【００４０】
以上のように上記実施形態では、マルチプレクサ１３から通知されるテレビジョン放送信号の帯域占有率が所定のしきい値を超えるときに、多重処理部１５４にて、ＤＩＩセクションバッファ１５１及びイベントメッセージセクションバッファ１５２からＤＩＩセクションパケット及びイベントメッセージセクションパケットを取り込んで、出力バッファ１５５に書き込むとともに、データ放送サービスパケットバッファ１５３１〜１５３ｎから最高の優先順位が設定されたデータ放送サービスパケットのみを取り込み、出力バッファ１５５に書き込むようにしている。
【００４１】
したがって、データ放送用の放送帯域における限られた帯域を有効に利用して、優先順位の高いデータ放送のデータを効率良く伝送することが可能となる。また、帯域変動に影響されることなく、常に優先順位の高いデータ放送サービスパケット、ＤＩＩセクションパケット及びイベントメッセージセクションパケットの帯域を確保することができる。
【００４２】
また、テレビジョン放送信号の帯域占有率が最小を示す場合に、ユーザがいつ受信を開始してもデータ放送番組を速やかに視聴できるように、伝送可能帯域内で全ての番組を送信することもできるので、従来のように、データ放送用の放送帯域が固定されていたことによって、帯域に無駄が生じることなく、これにより、帯域の変動に応じた最適なデータ伝送を行うことができる。
【００４３】
なお、この発明は上記実施形態に限定されるものではない。例えば、上記実施形態では、テレビジョン放送信号の帯域占有率が所定のしきい値を超える場合に、最高の優先順位が設定されたデータ放送サービスパケット、ＤＩＩセクションパケット及びイベントメッセージセクションパケットを送信するようにしているが、最高の優先順位が設定されたデータ放送サービスパケット及びＤＩＩセクションパケットのみであってもよい。イベントメッセージの使用は、コンテンツ依存で必ずしも必要とするものではない。また、固定帯域は、任意に設定でき、設定によっては優先順位が１位，２位，３位のデータ放送パケットを常に送信することも可能となる。
【００４４】
また、上記実施形態では、固定受信サービスによるテレビジョン放送システムを対象に説明したが、例えば携帯型受信端末を使用した移動体向けの放送システムや携帯型受信端末向けの放送システムにも適用可能である。また、専用線網やインターネットを利用したコンピュータシステムにも適用可能である。
【００４５】
その他、局内システムの構成、データ放送送出部の種類やその構成、データ放送を行う際のデータ放送送出部の制御手順とその内容、データ放送のパケットの内容等についても、この発明の要旨を逸脱しない範囲で種々変形して実施できる。
【００４６】
【発明の効果】
以上詳述したようにこの発明によれば、放送帯域の変動に影響されることなく、少なくとも優先順位の高いデータ放送のデータを効率良く伝送できるようにした番組送出処理装置を提供することができる。
【図面の簡単な説明】
【図１】この発明に係る番組送出処理装置が適用される局内システムの一実施形態を示すブロック構成図。
【図２】図１に示したデータ放送送出部の具体的構成を示すブロック図
【図３】同実施形態におけるテレビジョン放送信号とデータ放送信号との帯域関係を示すタイミングチャート。
【図４】同実施形態における処理動作を説明するためのタイミング図。
【符号の説明】
１１，１２…エンコーダ（ＥＮＣ）、
１３…マルチプレクサ（ＭＵＸ）、
１４…符号化多重制御部（ＥＭＣ）、
１５…データ放送送出部、
１６…自動番組送出制御部（ＡＰＣ）、
１７…局内時計、
１８…データサーバ（ＤＳ）、
１５１…ＤＩＩセクションバッファ、
１５２…イベントメッセージセクションバッファ、
１５３１〜１５３ｎ…データ放送サービスパケットバッファ、
１５４…多重処理部、
１５５…出力バッファ、
１５６…ＭＵＸ送出信号検出部。
【図１】
0004246935.tif 000002
【図２】
0004246935.tif 000003
【図３】
0004246935.tif 000004
【図４】
0004246935.tif 000005